(57)【要約】【課題】パレットのサイズと異なる荷物でも載置でき、しかも、ホークリフトでパレットを移動する場合パレット上の荷物が脱落するのを防止することができる載置物品落下防止治具を提供する。【解決手段】載置物品落下防止治具１は多数の鉄製の長尺板１２１，１２２，１２３，１２４、１２５を縦横に組合わせてた格子状の平板１２を使用している。長尺板１２４の先端は上方に折り曲げられて係止片２２２とされ、長尺板１２５の先端は下方に折り曲げられて係止片２２１とされている。多数の下向きの係止片２２１にはパレット５の上面が嵌め込まれ、上方向に突出した多数の係止片２２２には金型（荷物）６２が嵌め込まれて固定される。従って、ホークリフトで金型６２を載せたパレットを移動中に金型６２がパレット５より脱落することがなくなる。【選択図】図３
0003129648.tif 000002
【実用新案登録請求の範囲】
【請求項１】
ホークリフト用の方形パレットの上面とほぼ同じ形状及びサイズをした金属製基板の各辺に下方に向け突出し上記パレットの側壁に係止する係止片を少なくとも１個設けると共に、該基板の上面に被載置物品の四方を係止するための上方に突出した係止片を少なくとも４個設けたことを特徴とする載置物品落下防止治具。
【請求項２】
上記金属製基板として重量軽減用の切り抜き孔を多数設けた金属製の平板を使用することを特徴とする請求項１に記載されている載置物品落下防止治具。
【請求項３】
上記金属製基板として複数の金属製の長尺板を縦横に組合わせて構成した格子状の平板を使用したことを特徴とする請求項１に記載されている載置物品落下防止治具。
【請求項４】
上記格子状の平板は縦横の長尺板を継ぎ合わせて表面がフラットになるように構成されていることを特徴とする請求項３に記載されている載置物品落下防止治具。
【考案の詳細な説明】
【技術分野】
【０００１】
本考案は、ホークリフトのパレット上に載置した物品が移動中にずれて落下しないようにするための載置物品落下防止治具に関し、特に大型金型等重量の重い物品を物品整理棚にホークリフトを用いて収納又は取り出しする際に、パレット上に載置した物品が落下するのを防止するための載置物品落下防止治具に関する。
【背景技術】
【０００２】
物品整理棚にホークリフトを使用して特定の物品を収納又は取り出す際に、物品の収納および取り出しを容易にするためにパレットを使用している。このパレットは通常、硬質合成樹脂製の方形のブロックの側面にホークリフトの爪が挿入できる２個の孔が開けられている。
【０００３】
物品整理棚に収納する物品は先ず、パレット上に載置される。ホークリフトの爪をパレットの差し込みパレットごと物品を持ち上げ所定の棚に物品をパレットごと挿入する。この際、物品整理棚には収納されたパレットが地震などの震動によって滑り落ちないように、落下防止用の滑り止めが設けられている。
【０００４】
この滑り止めは、通常、棚の入り口に数個の落下防止片が棚板に枢着されていて、転倒・起立自在に取付けられている。物品を収納するときは、この落下防止片を転倒させ、障害物が無い状態でパレットを棚に差し込む、収納が終われば落下防止片を起立させてパレットが滑り落ちないようにする。
【０００５】
ところがこの落下防止片の転倒・起立の操作は人力で行わなければならないので、ホークリフトの操作員は一々ホークリフトから降りて、この落下防止片を転倒および起立の操作を行わなければならない。
【０００６】
また、収納しようとする物品は、パレットの上に載置されたままで、作業能率を阻害するので特別の固定手段などは備えていないのが通常である。従って、ホークリフトで物品を載置したパレットを移動させる場合、ずれたり、場合によっては落下するという危険が伴っている。
【０００７】
そこで、４隅に山形鋼を配置した底のない箱形の枠をパレットに嵌め込み荷物の落下を防止するパレットガードが提案されている（特開２００３−３２７２４５号公報）。
【特許文献１】特開２００３−３２７２４５号公報
【考案の開示】
【考案が解決しようとする課題】
【０００８】
上記特開２００３−３２７２４５号公報に記載された考案のパレットガードは底のない箱形の枠を使用しているので、小型の金型などを載せた場合は、金型自体が固定されていないので枠内で移動し、場合によっては転動して、金型を傷つける場合がある。また、金型には大小さまざまのものがあり、パレットよりも大きい金型の場合は載せることができない。金型は重量が大きいので枠型をしているとその中に入れるための操作が難しくなる等の欠点がある。
【０００９】
本考案は、ホークリフトを使用して荷物を載せたパレットを収納棚に収納する場合、パレットのサイズと異なる荷物でも載置でき、しかも、パレット上の荷物が脱落するのを防止することができる載置物品落下防止治具を安価に提供することを第１の目的とする。
【００１０】
本考案は、ホークリフトを使用して荷物を載せたパレットを収納棚に収納する場合、収納棚の入り口に設けたパレット脱落防止用のストッパーを進退させるためにホークリフトの操作員がホークリフトより降りて操作しなくてすむ載置物品落下防止治具を提供することを第２の目的とする。
【課題を解決するための手段】
【００１１】
本考案の載置物品落下防止治具は、ホークリフト用の方形パレットの上面とほぼ同じ形状及びサイズをした金属製基板の各辺に下方に向け突出し上記パレットの側壁に係止する係止片を少なくとも１個設けると共に、該基板の上面に被載置物品の四方を係止するための上方に突出した係止片を少なくとも４個設けたことを特徴とする。
【００１２】
上記金属製基板としては、重量軽減用の切り抜き孔を多数設けた金属製の平板を使用することができる。
【００１３】
上記金属製基板として、複数の金属製の長尺板を縦横に組合わせて構成した格子状の平板を使用することができる。
【００１４】
上記格子状の平板は縦横の長尺板を継ぎ合わせて表面がフラットになるように構成されている。
【考案の効果】
【００１５】
本考案は、ホークリフト用の方形パレットの上面とほぼ同じ形状及びサイズをした金属製基板の各辺に下方に向け突出し上記パレットの側壁に係止する係止片を少なくとも１個設けると共に、該基板の上面に被載置物品の四方を係止するための上方に突出した係止片を少なくとも４個設けたの載置物品落下防止治具を使用することにより、ホークリフトを使用して荷物を載せたパレットを収納棚に収納する場合、パレット上の荷物が脱落するのを防止することができる。
【００１６】
本考案の載置物品落下防止治具を使用すれば、ホークリフトを使用して荷物を載せたパレットを収納棚に収納する場合、パレットが多少傾斜してもパレット上の荷物の脱落を防止することができるので、収納棚の入り口に簡単なパレット滑り止めの敷居を設ければ、その敷居を越えてパレットを収納棚に差し込み、パレットが敷居より内部に収まったときにホークを引き抜けば、操作員はホークリフトに乗ったままで操作でき、いちいちホークリフトを降りる必要はなくなる。
【００１７】
本考案の載置物品落下防止治具は、複数の金属製の長尺板を縦横に組合わせて格子状の平板を構成しているので、載置すべき荷物のサイズに応じて長尺板の長さを選定すれば、パレットよりも大きな荷物でも小さな荷物で載置でき、その脱落を防止することができる。
【考案を実施するための最良の形態】
【００１８】
本考案の最良の実施形態を次の実施例によって説明する。
【実施例】
【００１９】
（実施例１）
図１は本考案の載置物品落下防止治具の平面図、図２はその側面図である。
載置物品落下防止治具１は多数の重量軽減用の打ち抜き孔４を設けた鉄製方形の平板状の基板１１の４周に数個の係止片２１が設けられている。
【００２０】
この係止片２１は基板の上下に突出しているので、図２に示すようにパレット５上に基板１１を載置した時に、多数の係止片２１の下半分はパレット５の側面を抱え込んで基板１１をパレット５に固定する。
【００２１】
多数の係止片２１の上半分は物品整理棚に収納すべき物品、例えば、金型６１の側壁を抱え込んで金型６１を固定する。
【００２２】
図中５１はパレット５に設けたホーク孔であって、ここにホークリフトのホークをホーク孔５１に差し込んで、荷物を載せたパレット５を持ち上げ、物品整理棚に挿入し、荷物をパレットごと物品整理棚に残留させる。
【００２３】
（実施例２）
図３は他の実施例の載置物品落下防止治具の平面図、図４はその側面図である。
載置物品落下防止治具１は多数の鉄製の長尺板を縦横に組合わせて構成した格子状の平板１２を使用している。この平板１２は表面をフラットにするために４本の縦の長寸の長尺板１２１の間に６本の横の短寸の長尺板１２２を２列にして継ぎ足して格子状とする。
【００２４】
さらに２列の長尺板１２２の左右の延長線上にそれぞれ２本の短寸の長尺板１２４，１２５を突出して設ける。長尺板１２４の先端は上方に折り曲げられて係止片２２２とされる。長尺板１２５の先端は下方に折り曲げられて係止片２２１とされている。
【００２５】
縦方向の長尺板１２１の左右の先端はそれぞれ下方向に折り曲げられて係止片２２１とされる。また、各長尺板１２１の突出部分に沿って短寸の長尺板１２３が接続されその先端は上方向に折り曲げられて係止片２２２とされている。その結果、格子状の平板１２の下方向に突出した多数の係止片２２１にはパレット５の上面が嵌め込まれ、平板１２の上方向に突出した多数の係止片２２２には金型６２が嵌め込まれて固定される。
【００２６】
この実施例では、金型６２の大きさはパレット５よりも大きい場合の例を示している。長短の長尺板の接合には全て溶接を使用しているので、必要に応じて、任意の長さの長尺板を使用して、平板１２の縦横のサイズを自由に変更することが可能である。
【００２７】
（実施例３）
この実施例では、パレットよりも小さな金型を載置する場合の格子状の平板を使用する載置物品落下防止治具を示すもので、図５はその平面図、図６はその側面図である。３本の長寸の長尺板１３１と４本×３の短寸の長尺板１３２によって格子状の平板１３を構成する。３本の長尺板の両端は下方向に折り曲げられて下向きの係止片２３を構成する。
【００２８】
金型６３のサイズに合わせて、平板１３の４カ所にＬ字状の係止片３を溶接によって固定する。その結果、平板１３の多数の下向きの係止片２３にはパレット５の上面が嵌め込まれて固定され、４個のＬ字状の係止片３には金型６３が嵌め込まれて固定される。
【図面の簡単な説明】
【００２９】
【図１】実施例１の載置物品落下防止治具の平面図。
【図２】図１の側面図。
【図３】実施例２の載置物品落下防止治具の平面図。
【図４】図３の側面図。
【図５】実施例３の載置物品落下防止治具の平面図。
【図６】図５の側面図。
【符号の説明】
【００３０】
１  載置物品落下防止治具
１２  平板
１２１  長尺板
１２２  短尺板
１２３  短尺板
１２４  短尺板
１２５  短尺板
２２１  係止片
２２２  係止片
５  パレット
６１  金型
６２  金型
６３  金型
【図１】
0003129648.tif 000003
【図２】
0003129648.tif 000004
【図３】
0003129648.tif 000005
【図４】
0003129648.tif 000006
【図５】
0003129648.tif 000007
【図６】
0003129648.tif 000008